(57)【要約】【課題】伸びている状態の伸縮ケースを、自動で縮ませることができる伸縮ケース付きの傘を提供する。【解決手段】握柄11と中空状の中棒12と石突13と傘布14を有する傘２と、段階的に僅かに直径の異なる複数の円筒体(3a〜3ｍ)を順次嵌め合わせて伸縮自在に構成され、最も内側の円筒体3aの先端開口部が塞がれていると共に、最も内側の円筒体3aの内部には石突13を嵌装する嵌装部35が設けられている伸縮ケース３と、を備え、傘２が、石突13を嵌装部35に嵌装した状態で伸縮ケース３に収容されており、握柄11の内部には、回転軸に巻取プーリが固着された電動モータと、この電動モータを駆動させるための電源手段と、が内蔵されており、伸縮ケース３の最も外側の円筒体3ｍの開口縁部と巻取プーリとを、傘２の先端部を経て連結する引張線４を更に備えた伸縮ケース付きの傘１とした。【選択図】図２
2011115474.tif 000002
【特許請求の範囲】
【請求項１】
握柄と中空状の中棒と石突と傘布を有する傘と、
段階的に僅かに直径の異なる複数の円筒体を順次嵌め合わせて伸縮自在に構成され、最も内側の円筒体の先端開口部が塞がれていると共に、最も内側の円筒体の内部には傘の石突を嵌装する嵌装部が設けられている伸縮ケースと、を備え、
前記傘が、前記石突を前記嵌装部に嵌装した状態で前記伸縮ケースに収容されている、
伸縮ケース付きの傘であって、
前記握柄の内部には、
回転軸に巻取プーリが固着された電動モータと、
この電動モータを駆動させるための電源手段と、が内蔵されており、
前記伸縮ケースの最も外側の円筒体の開口縁部と前記巻取プーリとを連結する引張線を更に備え、
この引張線は、
一端側が、前記巻取プーリに固着され、
他端側が、前記握柄の内部から前記中棒の内部を経由して前記傘布の表面側で外部に取り出されて前記伸縮ケースの最も外側の円筒体の開口縁部に固着されており、
伸縮ケースを伸ばして傘を覆った状態から電動モータを回転させると、引張線が巻取プーリに巻き取られるに従って伸縮ケースの最も外側の円筒体が傘の石突側に向かって移動し、伸びていた伸縮ケースが縮むように構成された、
伸縮ケース付きの傘。
【請求項２】
伸縮ケースは、
それぞれの円筒体の端部に、円筒体の全周にわたる冠状の突起部が形成され、
伸縮ケースを伸ばした状態において隣り合う円筒体の前記突起部どうしが当接して係合するように、外向きの突起部と内向きの突起部を隣り合う円筒体の端部に割り振って形成してあり、前記外向きの突起部と前記内向きの突起部の少なくとも何れか一方は、シリコン樹脂で形成された、請求項１記載の伸縮ケース付きの傘。
【請求項３】
伸縮ケースは、
それぞれの円筒体の端部に、円筒体の全周にわたる冠状の嵌合フックが形成されており、
伸縮ケースを伸ばした状態において隣り合う円筒体の前記嵌合フックどうしが噛み合って係合するように、外向きの嵌合フックと内向きの嵌合フックを隣り合う円筒体の端部に割り振って形成した、請求項１記載の伸縮ケース付きの傘。
【請求項４】
段階的に僅かに直径の異なる複数の円筒体を順次嵌め合わせて伸縮自在に構成され、最も内側の円筒体は、先端開口部が塞がれていると共に、傘の石突が嵌装される嵌装部を内部に備えている、傘用の伸縮ケースであって、
それぞれの円筒体の端部に、円筒体の全周にわたる冠状の突起部が形成され、
伸縮ケースを伸ばした状態において隣り合う円筒体の前記突起部どうしが当接して係合するように、外向きの突起部と内向きの突起部を隣り合う円筒体の端部に割り振って形成してあり、前記外向きの突起部と前記内向きの突起部の少なくとも何れか一方は、シリコン樹脂で形成されている、傘用の伸縮ケース。
【請求項５】
段階的に僅かに直径の異なる複数の円筒体を順次嵌め合わせて伸縮自在に構成され、最も内側の円筒体は、先端開口部が塞がれていると共に、傘の石突が嵌装される嵌装部を内部に備えている、傘用の伸縮ケースであって、
それぞれの円筒体の端部に、円筒体の全周にわたる冠状の嵌合フックが形成されており、
伸縮ケースを伸ばした状態において隣り合う円筒体の前記嵌合フックどうしが噛み合って係合するように、外向きの嵌合フックと内向きの嵌合フックを隣り合う円筒体の端部に割り振って形成した、傘用の伸縮ケース。
【発明の詳細な説明】
【技術分野】
【０００１】
本発明は、伸縮ケース付きの傘、および傘に取り付けて使用することができる傘用の伸縮ケースに関する。
【背景技術】
【０００２】
従来から、傘用のケースとしては、布製やビニール製のものが用いられてきた。例えば、下記特許文献１には、このような傘用のケースが記載されている。
【０００３】
特許文献１には、「ミシン目を端部を除いた部分に設けたことを特徴とする傘袋」が記載され、これによって、「傘を傘袋の開口部から傘袋の内部に入れ、該傘の突起部を該ミシン目を破断して形成した孔に通した形態で傘袋を該傘に固定することから、傘袋の自重で傘袋が該傘にぶら下がる形態で固定されるため、傘袋が該傘から滑り落下してしまうことを防止することができる。」とある。
【先行技術文献】
【特許文献】
【０００４】
【特許文献１】特許第４２０９９３２号公報
【０００５】
しかし、このような布製やビニール製の従来の傘用のケースには、破れや穴あきといった課題のほか、一旦内部が濡れてしまうと傘を入れにくくなってしまうという課題もあった。
【０００６】
そこで、段階的に僅かに直径の異なる複数の円筒体を順次嵌め合わせて伸縮自在に構成した傘用の伸縮ケース（以降、単に伸縮ケースと称することがある）が存在している。この伸縮ケースについて、本件出願人は、傘と一体になった形態で古くから少なくとも中国や台湾で流通していることを確認している。
【発明の概要】
【発明が解決しようとする課題】
【０００７】
しかし、従来の傘用の伸縮ケースは、傘を差す場合に、伸びている状態の伸縮ケースを予め手で縮ませておく必要があり、この作業が煩雑であった。
【０００８】
また、伸縮ケースを伸ばして傘をカバーした場合であっても、隣り合う円筒体の係合箇所から水漏れしやすいという課題もあった。
【０００９】
本発明は、上述の事柄に留意してなされたものであって、伸びている状態の伸縮ケースを自動で縮ませることができる伸縮ケース付きの傘を提供することを第一の目的とする。
【００１０】
また、本発明は、伸縮ケースを伸ばした状態において、隣り合う円筒体どうしの係合箇所から水漏れしにくい傘用の伸縮ケースを提供することを、第二の目的とする。
【課題を解決するための手段】
【００１１】
上記第一の目的を達成するために、本発明の伸縮ケース付きの傘は、握柄と中空状の中棒と石突と傘布を有する傘と、段階的に僅かに直径の異なる複数の円筒体を順次嵌め合わせて伸縮自在に構成され、最も内側の円筒体の先端開口部が塞がれていると共に、最も内側の円筒体の内部には傘の石突を嵌装する嵌装部が設けられている伸縮ケースと、を備え、傘が、石突を嵌装部に嵌装した状態で伸縮ケースに収容されている、伸縮ケース付きの傘であって、握柄の内部には、回転軸に巻取プーリが固着された電動モータと、この電動モータを駆動させるための電源手段と、が内蔵されており、伸縮ケースの最も外側の円筒体の開口縁部と巻取プーリとを連結する引張線を更に備え、この引張線は、一端側が、巻取プーリに固着され、他端側が、握柄の内部から中棒の内部を経由して傘布の表面側で外部に取り出されて伸縮ケースの最も外側の円筒体の開口縁部に固着されており、伸縮ケースを伸ばして傘を覆った状態から電動モータを回転させると、引張線が巻取プーリに巻き取られるに従って伸縮ケースの最も外側の円筒体が傘の石突側に向かって移動し、伸びていた伸縮ケースが縮むような構成とした。
【００１２】
この伸縮ケース付きの傘は、伸びている状態（傘をカバーした状態）の伸縮ケースを、自動で縮ませることができるものである。
【００１３】
このとき、伸縮ケースは、それぞれの円筒体の端部に、円筒体の全周にわたる冠状の突起部が形成され、伸縮ケースを伸ばした状態において隣り合う円筒体の突起部どうしが当接して係合するように、外向きの突起部と内向きの突起部を隣り合う円筒体の端部に割り振って形成してあり、外向きの突起部と内向きの突起部の少なくとも何れか一方は、シリコン樹脂で形成されている構成とすることができる。
【００１４】
この伸縮ケース付きの傘は、隣り合う円筒体の係合箇所から水漏れしにくいものである。
【００１５】
伸縮ケースは、それぞれの円筒体の端部に、円筒体の全周にわたる冠状の嵌合フックが形成されており、伸縮ケースを伸ばした状態において隣り合う円筒体の嵌合フックどうしが噛み合って係合するように、外向きの嵌合フックと内向きの嵌合フックを隣り合う円筒体の端部に割り振って形成した構成とすることもできる。
【００１６】
この伸縮ケース付きの傘も、隣り合う円筒体の係合箇所から水漏れしにくいものである。
【００１７】
また、上記第二の目的を達成するために、本発明の傘用の伸縮ケースは、段階的に僅かに直径の異なる複数の円筒体を順次嵌め合わせて伸縮自在に構成され、最も内側の円筒体は、先端開口部が塞がれていると共に、傘の石突が嵌装される嵌装部を内部に備えている、傘用の伸縮ケースであって、それぞれの円筒体の端部に、円筒体の全周にわたる冠状の突起部が形成され、伸縮ケースを伸ばした状態において隣り合う円筒体の突起部どうしが当接して係合するように、外向きの突起部と内向きの突起部を隣り合う円筒体の端部に割り振って形成してあり、外向きの突起部と内向きの突起部の少なくとも何れか一方は、シリコン樹脂で形成されている構成とした。
【００１８】
この傘用の伸縮ケースは、隣り合う円筒体の係合箇所から水漏れしにくいものである。
【００１９】
また、上記第二の目的を達成するために、本発明の傘用の伸縮ケースは、段階的に僅かに直径の異なる複数の円筒体を順次嵌め合わせて伸縮自在に構成され、最も内側の円筒体は、先端開口部が塞がれていると共に、傘の石突が嵌装される嵌装部を内部に備えている、傘用の伸縮ケースであって、それぞれの円筒体の端部に、円筒体の全周にわたる冠状の嵌合フックが形成されており、伸縮ケースを伸ばした状態において隣り合う円筒体の嵌合フックどうしが噛み合って係合するように、外向きの嵌合フックと内向きの嵌合フックを隣り合う円筒体の端部に割り振って形成されている構成とした。
【００２０】
この傘用の伸縮ケースも、隣り合う円筒体の係合箇所から水漏れしにくいものである。
【発明の効果】
【００２１】
本発明により、伸びている状態の伸縮ケースを自動で縮ませることができる伸縮ケース付きの傘を提供することができる。また、伸縮ケースを伸ばした状態において、隣り合う円筒体どうしの係合箇所から水漏れしにくい傘用の伸縮ケースを提供することができる。
【図面の簡単な説明】
【００２２】
【図１】伸縮ケース付きの傘の正面図である。
【図２】図１の伸縮ケース付きの傘の縦断面図である。
【図３】図２のＰ部（隣り合う円筒体の係合箇所）を拡大した図である。
【図４】Ｐ部の別例Ｐ’部を示す図である。
【図５】図２のＱ部（握柄付近）を拡大した図である。
【図６】伸縮ケースを縮ませた状態の伸縮ケース付きの傘を示す正面図である。
【図７】図６において伸縮ケースのみを断面表示した図である。
【図８】図７のＲ部を拡大した図である。
【発明を実施するための形態】
【００２３】
以下、図を用いて本発明の伸縮ケース付きの傘、および傘用の伸縮ケースを説明する。本実施形態の伸縮ケース付きの傘は、傘と本発明である伸縮ケースと電動モータと電源手段と引張線を備えている。以下、これらの構成要素について詳説する。
【００２４】
なお、これらの図において、便宜上、傘を構成する傘骨などは省略してある。また、図８において、傘内部の引張線を点線で表示してある。
【００２５】
また、以下の実施形態はあくまで本発明を例示説明するものであって、本発明は、これらの具体的な実施形態に限定されるものではない。
【００２６】
［傘］
本発明の伸縮ケース付きの傘１で用いられる傘２としては、ごく一般的に市販されているものを使用することができる。このような傘２に関しあえて説明すれば、図１及び図２に示すように、人間が把持する握柄11と、この握柄11の下端から下方に向かって伸びる中空状の中棒12（図２参照）と、この中棒12の下端（先端）に取り付けられた石突13と、中棒12と石突13の境界近辺を中心として開閉自在に取り付けられた傘布14とで構成される。通常、傘布14を開閉自在に取り付けるために傘骨（図示せず）が用いられている。また、後述するように、傘２の握柄11の内部には、電動モータ５と電源手段７が内蔵されている。そのため、本実施形態では、握柄11の一部が膨らんだ形状となっている。
【００２７】
［伸縮ケース］
伸縮ケース３は、傘２の石突13に取り付けられる。そして、一般的に、傘２を閉じた状態では、図１に示すように握柄11側に伸ばされて傘２をカバーし、傘２を開く際には、図６に示すように予め石突13側まで縮ませて邪魔にならないようにしておく。本実施形態では、段階的に僅かに直径の異なる１３個の円筒体(3a〜3ｍ)を順次嵌め合わせて伸縮自在に構成した伸縮ケース３としてある。
【００２８】
伸縮ケース３を構成する円筒体(3a〜3ｍ)のうち、最も内側の円筒体3a（最も小径であり、伸縮ケース３を伸ばした状態で伸縮ケース３の先端に位置する）の先端開口部には、水漏れを防ぐための封止キャップ39が着脱自在に取り付けてあり、最も内側の円筒体3aの先端開口部が開閉自在に塞がれている。即ち、最も内側の円筒体3aは、封止キャップ39で先端開口部に栓をしてあることによって雨水貯めとして機能し、封止キャップ39を円筒体3aから取り外すことで貯まった雨水を排出することができるようになっている。また、本実施形態では最も内側の円筒体3aを他の円筒体よりも長く構成して、多くの雨水が貯まるようにしてある。
【００２９】
また、同じく、最も内側の円筒体3aの内部には傘２の石突13を嵌装する略筒状の嵌装部35が設けられている。さらに、最も外側の円筒体3ｍ（最も大径である）の上端側（握柄側）の開口縁部には、図５及び図８に示すように、後述する引張線４の他端側が固着される取付片38が設けられている。
【００３０】
また、本実施形態では、それぞれの円筒体(3a〜3ｍ)の端部に、円筒体の全周にわたる冠状の突起部が形成されている。具体的には、図３に示すように、大径側の円筒体3fの下端（小径側の円筒体3e側）には内向きの突起部3f1を形成し、一方、小径側の円筒体3eの上端（大径側の円筒体3f側）には外向きの突起部3e1を形成してある。そして、図３(b)の状態から図３(a)に示すように、伸縮ケース３を伸ばした状態で、内向きの突起部3f1と外向きの突起部3e1が当接して係合する。
【００３１】
また、本実施形態では、小径側の円筒体3eの上端に形成された外向きの突起部3e1はシリコン樹脂製としてあり、これによって係合箇所から水漏れしにくくなる。大径側の円筒体3fの下端に設けられた内向きの突起部3f1もシリコン樹脂製としてもよい。また、突起部(3e1)全体をシリコン樹脂製としてもよいし、突起部(3e1)の一部、即ち相対する突起部(3f1)と当接する当接面にのみシリコン樹脂を施してもよい。
【００３２】
また、冠状の突起部の代わりに、図４に示すように、円筒体の全周にわたる冠状の嵌合フックを形成してもよい。具体的には、大径側の円筒体3fの下端（小径側の円筒体3e側）には内向きの嵌合フック3f5を形成し、一方、小径側の円筒体3eの上端（大径側の円筒体3f側）には外向きの嵌合フック3e5を形成してある。そして、図４(b)から図４(a)に示すように、伸縮ケース３を伸ばした状態で、内向きの嵌合フック3f5と外向きの嵌合フック3e5どうしが噛み合って係合することにより、より一層、係合箇所から水漏れしにくくなる。
【００３３】
本実施形態では、伸縮ケース３を構成する円筒体(3a〜3ｍ)のうち、最も内側（最も小径になる）の円筒体3aを除き、下側に隣り合う小径側の円筒体（内側に嵌め込まれる円筒体）が上方に抜けにくくするため、各円筒体の上端部の内側に、抜止突起を設けてある。図３及び図４では、大径側の円筒体3eの下側に隣り合う小径側の円筒体(3d)が上方に抜けにくくするため、大径側の円筒体3eの上端部の内側に、抜止突起3e0を設けてある
【００３４】
［電動モータ］
電動モータ５は、伸縮ケース３を電動で縮ませるための動力源であり、図５に示すように、傘の握柄11に内蔵されている。この電動モータ５の回転軸には巻取プーリ６が固着されている。この巻取プーリ６には、後述する引張線４の一端側が固着され、電動モータ５を回転させることで引張線４が巻取プーリ６に巻き取られるように構成されている。本実施形態では回転軸方向が傘の長さ方向と概ね平行になるような向きで、電動モータ５を握柄11に内蔵してある。
【００３５】
［電源手段］
電源手段７は、電動モータ５を駆動させるための電力源であり、電動モータ５と同様、傘の握柄11に内蔵されている。本実施形態では、市販の単四電池を二個用いて両者を直列に連結し、図示しない配線およびＯＮ-ＯＦＦスイッチによってワンタッチで電動モータ５に電力を供給するように構成してある。
【００３６】
［引張線］
引張線４は、伸縮ケース３の最も外側の円筒体3ｍの開口縁部と巻取プーリ６との間を、傘の先端部を経て、連結して張設され、伸ばした状態の伸縮ケース３を電動モータ５の働きで縮ませるためのものである。引張線４としてはステンレスワイヤを用いることが好ましいが、これに限定されない。
【００３７】
そして、引張線４の一端側は巻取プーリ６に固着されており、電動モータ５を回転させることで、引張線４は一端側から巻取プーリ６に巻き取られる。巻取プーリ６近辺には、三つの方向変換軸(r1〜r3)が取り付けられ、引張線４を巻き取りやすくしてある。
【００３８】
一方、引張線４の他端側は、巻取プーリ６が内蔵されている握柄11の内部から、中空状の中棒12の内部を経由し、傘布14の表面側で外部に取り出された後、図５及び図８に示すように、伸縮ケース３の最も外側の円筒体3ｍ（最も大径である）の握柄11側の開口縁部に設けた取付片38に固着されている。本実施形態では、引張線４の他端側は、中空状の中棒12の内部を経由した後、図８に示すように、石突13の内部を通って、石突13の先端に設けた開口から外部に取り出されることで、傘布14の表面側で外部に取り出されている。
【００３９】
［伸縮ケースを縮ませる方法］
このように構成された、傘用の伸縮ケース３および伸縮ケース付きの傘１の使用方法について、以下に例示説明する。図１及び図２に示すように、傘２を閉じて伸縮ケース３を伸ばした状態から、図示しないＯＮ-ＯＦＦスイッチをＯＮにする。すると、電動モータ５が回転し、これに伴って巻取プーリ６も回転して引張線４が一端側から徐々に巻き取られる。すると、引張線４の他端側が固着されている最も外側の円筒体3ｍが、傘２の石突13側に向かって移動し、図６に示すように、伸びていた伸縮ケース３が縮むのである。
【００４０】
以上、特定の実施形態を参照して本発明を説明したが、本発明は上記実施形態に限定されるものではなく、この技術分野における熟練者等により、本出願の願書に添付された特許請求の範囲から逸脱することなく、種々の変更及び修正が可能である。
【００４１】
例えば、本発明の伸縮ケース付きの傘、および傘用の伸縮ケースにおいて、伸縮ケースの先端部表面に蛍光体層を設けて、夜間に光るように構成してもよい。具体的には伸縮ケースの先端に位置する円筒体又は封止キャップの表面に、蛍光体塗料を塗布したり蛍光体シールを貼付したりすることができる。また、伸縮ケースの先端に位置する円筒体又は封止キャップを、蛍光性を備えた樹脂材料で形成してもよい。蛍光体としては蓄光性の蛍光体を用いることができる。夜間、特に雨の降っている夜間は、ドライバーの視界が悪くなるため歩行者を目視確認しにくくなり、人身事故が起きやすかった。しかし、伸縮ケースの先端部表面に蛍光体層を設けたことによって、雨の降っている夜間であっても歩行者の存在を目視確認しやすくなり、人身事故の起きやすい状況を改善することができるのである。
【符号の説明】
【００４２】
１    伸縮ケース付きの傘
２    傘
11  握柄
12  中棒
13  石突
14  傘布
３    伸縮ケース
3a〜3ｍ  円筒体
3f1,3e1  突起部
3f5,3e5  嵌合フック
3e0      抜止突起
35  嵌装部
38  取付片
39  封止キャップ
４  引張線
５  電動モータ
６  巻取プーリ
７  電源手段
【図１】
2011115474.tif 000003
【図２】
2011115474.tif 000004
【図３】
2011115474.tif 000005
【図４】
2011115474.tif 000006
【図５】
2011115474.tif 000007
【図６】
2011115474.tif 000008
【図７】
2011115474.tif 000009
【図８】
2011115474.tif 000010